(57)【要約】【課題】嵌め込み式ガス調理器のコンロバーナ燃焼用空気供給に関するもので、嵌めこまれるガス置き台に燃焼用空気孔の工事を不要とすると同時に、良好な燃焼状態を維持できるバーナ構成を提供すること。【解決手段】器具箱体６の上面全体を被うような天板１の一部に、天板下面側にあるノズル１０付近とコンロバーナの炎孔に新鮮空気の供給が可能なように、空気供給口を備えた構成とし、さらに、バーナヘッド９の外周まで近接した内径を有する汁受け皿３、もしくは汁受け皿３の内周とバーナヘッド９の外周との間の空隙を覆うバーナリングを備えている。これによって、ガス置き台の空気孔が不要であり、且つ、器具箱体６の底面部に空気孔がないので、コンロバーナで調理中の煮汁等がふきこぼれて器具内に落下しても器具外にこぼれないため、ガス置き台内の掃除もなく使い勝手が良くなると共に良好な燃焼状態が継続できる嵌め込み式ガス調理器が実現できる。【選択図】　図３
2004044864.tif 000002
【特許請求の範囲】
【請求項１】
器具箱体の上面全体を被うような天板と、コンロバーナとなべ等を載置するゴトクと、前記コンロバーナの周囲に配設した汁受け皿と、ガスコックを開閉するコックつまみと、ガスを開閉するガスコックと、ガスを供給するノズルと、前記ノズルのガス供給口付近とコンロバーナの炎孔付近に空気を供給する空気供給口とを備えた上方給気型コンロ。
【請求項２】
空気供給口は、コンロバーナの周囲に配設した汁受け皿と天板との間に形成された空隙である請求項１に記載の嵌め込み式ガス調理器。
【請求項３】
汁受け皿を天板上面より高い位置に載置されるように金具備えた請求項２に記載の嵌め込み式ガス調理器。
【請求項４】
汁受け皿を天板上面より高い位置に載置されるように前記汁受け皿を固定する固定ビスを備えた請求項２項に記載の嵌め込み式ガス調理器。
【請求項５】
ゴトク枠の下に設けられた突起によってごとく枠と天板との間に構成される空隙を有し、前記ゴトク枠は汁受け皿の外周付近に設けられた開口部もしくは天板と汁受け皿で構成される空間部を被うように構成された請求項１又は２に記載の嵌め込み式ガス調理器。
【請求項６】
円筒立錐壁部材はコンロバーナの周囲に配設した汁受け皿を天板上面より高い位置に載置されるような高さに構成し、前記、円筒立錐壁部材は複数箇所空気が流入する開口部を備えた請求項１又は２記載の嵌め込み式ガス調理器。
【請求項７】
コンロバーナの周囲に配設した汁受け皿もしくはごとく枠の外周壁面部を天板の上面側に折り曲げ、前記外周壁面部を複数箇所空気が流入する開口部を備えた請求項１又は２記載の嵌め込み式ガス調理器。
【請求項８】
空気供給口は、天板の上に載置されたコックつまみのシャフトの周辺にシャフト開口孔を備えた請求項１〜６のいずれか１項に記載の嵌め込み式ガス調理器。
【請求項９】
空気供給口は、天板の一部または天板を載置する基盤の一部を平面状もしくは屋根状に１段もしくは複数段に開口した基盤開口部を備えた請求項１〜８いずれか１項に記載の嵌め込み式ガス調理器。
【請求項１０】
バーナヘッド外周付近まで近接した内径を有する汁受け皿、もしくは汁受け皿内周とバーナヘッド外周との間の空隙を覆うバーナリングを備えた請求項１〜９のいずれか１項に記載の嵌め込み式ガス調理器。
【請求項１１】
バーナヘッド外周付近まで近接した内径を有する汁受け皿の下側にある、前記、バーナヘッドのドーナツ状空洞部の一部を１箇所または複数箇所、上方側へくぼみを備えた請求項１〜１０のいずれか１項に記載の嵌め込み式ガス調理器。
【発明の詳細な説明】
【０００１】
【発明の属する技術分野】
本発明は、ガス等を燃料とする嵌め込み式ガス調理器のコンロバーナへの燃焼用空気の供給方法に関するものである。
【０００２】
【従来の技術】
従来この種の嵌め込み式ガス調理器の燃焼に必要な空気の供給は、天板１より下に位置するバーナヘッド９、ガスを噴出するノズル１０、等を内臓載置する器具箱体６の底面部６ａおよび側面部６ｂに燃焼に必要な空気を供給する空気孔１５を設けて構成されている。
【０００３】
この構成で、ガスコック１１が開かれバーナヘッド９にノズル１０からガスが供給されるとノズル１０付近の空気がガスの流れ方向に沿って，同時にバーナヘッド９内に吸引される。バーナキャップ５に達したガスと空気の混合気に点火されると燃焼を継続し、燃焼に必要な空気は、前記、器具箱体６に設けられた空気孔１５から流入給気されて完全燃焼が継続し続けるというものであった。また、バーナヘッド９外径と汁受け皿３の内径との間には空隙を存在させて構成されている。
【０００４】
【発明が解決しようとする課題】
しかしながら従来のこの種の嵌め込み式ガス調理器では、ガス置き台７の庫内側に完全燃焼を行うための必要な空気を庫内の外側から取り入れる空気孔８を設ける必要があり、器具メーカーの取扱説明書、工事説明書に空気とり入れ用の孔の工事を行うように記載している。
【０００５】
しかしながら空気孔をあける工事がなされないまま、ガス調理器を使用される家庭が少なくなかった。そのため空気不足により不完全燃焼の原因や器具本体の温度が異常に高くなるという課題があった。
【０００６】
また、バーナヘッド９外径と汁受け皿３の内径との間には空隙を存在させて構成した場合には、燃焼排ガスの流れはキャップ中央孔からの空気流による外周側への流れとバーナヘッド９外径と汁受け皿３の内径との空隙から上昇する二次空気により交差して乱流を発生させ安定した燃焼を得ることができないという課題もあった。
【０００７】
本発明は上記従来の課題を解決するもので、ガス置き台に空気供給口がなく、且つ、器具箱体６の底面および側面にコンロバーナの燃焼に必要な空気供給用孔１５がなくても、天板下面側にあるノズルのガス供給口付近とコンロバーナの炎孔付近にスムースに空気供給を可能とすることを目的とする。
【０００８】
【課題を解決するための手段】
上記の目的を達成するために、器具箱体の上面全体を被うような天板とその一部に、コンロバーナとなべ等を載置するゴトクと前記コンロバーナの周囲に配設した汁受け皿とガスコックを開閉するコックつまみと前記器具箱体内には、ガスを開閉するガスコックとガスを供給するノズルを備え、天板下面側にあるノズルのガス供給口付近とコンロバーナの炎孔付近に空気の供給が可能なように、天板の一部に空気供給口を備えた構成とした。
【０００９】
さらに、バーナヘッド外周付近まで近接した内径を有する汁受け皿、もしくは汁受け皿内周とバーナヘッド外周との間の空隙を覆うバーナリングを備えた構成とした。
【００１０】
上記の発明によれば、燃焼に必要な空気を天板の一部に空気供給口として設けているので、ガス置き台、流し台等の庫内側に完全燃焼を行うための必要な空気を庫内の外側から取り入れる空気孔を設ける必要がなく、空気孔をあける工事が不要でありながら、良好な燃焼状態が継続できる。
【００１１】
また、バーナヘッド９外径と汁受け皿３の内径との間には空隙がほとんど存在しないように構成しているので汁受け皿３と天板１の空隙からのみ、新鮮空気１２が器具箱体６内へと流入する。
【００１２】
併せて、器具箱体の底面部に空気孔がないので、コンロバーナで調理中の煮汁等がふきこぼれて器具内に落下しても器具外にこぼれることなく、ガス置き台内の掃除もなくなり、使い勝手の良い嵌め込み式ガス調理器が実現できる。
【００１３】
【発明の実施の形態】
請求項１記載の発明は、器具箱体の上面全体を被うような天板とその一部に、コンロバーナとなべ等を載置するゴトクと前記コンロバーナの周囲に配設した汁受け皿とガスコックを開閉するコックつまみと前記器具箱体内には、ガスを開閉するガスコックとガスを供給するノズルを備え、天板下面側にあるノズルのガス供給口付近とコンロバーナの炎孔付近に空気の供給が可能なように、天板の一部に空気供給口を備えたことにより、嵌め込み式ガス調理器では、嵌めこむ部材（ガス置き台、流し台等）の庫内側に完全燃焼を行うための必要な空気を庫内の外側から取り入れる空気孔を設ける必要がなく、器具メーカーの取扱説明書、工事説明書に空気とり入れ用の孔の工事を行うよう記載も必要としない．したがって、庫内側に燃焼用空気孔がなくガス調理器を使用されても、空気不足による不完全燃焼の心配がなく器具本体の温度も異常に高くなるということもなく、工事性の優れた嵌め込み式ガス調理器が実現できる。また、器具箱体の底面部および側面部に空気孔がないので、コンロバーナで調理中の煮汁等がふきこぼれて器具内に落下しても器具外にこぼれることなく、ガス置き台内の掃除もなくなり、使い勝手の良い嵌め込み式ガス調理器が実現できる。また、器具箱体の底面部および側面部に空気孔がないので、器具箱体に空気孔のプレス加工する必要がなく金型費投資も少なく、安価で加工しやすい嵌め込み式ガス調理器が実現できる。
【００１４】
請求項２に記載の発明は、特に、請求項１に記載の嵌め込み式ガス調理器の空気供給口は、コンロバーナの周囲に配設した汁受け皿と天板の間に空隙を備えたことにより、燃焼に必要な空気を汁受け皿と天板の間からの供給を実現することができる。また、近年増加しつつある天板材質がガラスの場合、器具箱体内に流入する燃焼に必要な空気が天板表面上を流れるため、バーナ燃焼による天板温度の上昇をも抑制することを実現することができる。
【００１５】
請求項３に記載の発明は、特に、請求項２に記載の空気供給口は、コンロバーナの周囲に配設した汁受け皿を天板上面より高い位置に載置されるように器具箱体に取り付けられた金具を備えたことにより、容易に燃焼に必要な空気を汁受け皿と天板の間からの供給する空隙を実現することができる。また、金具は器具箱体底部より天板上面の上まで位置するのでコンロバーナの中心とコンロバーナに対応する天板孔部中心との位置合わせも容易に実現することができる。
【００１６】
請求項４に記載の発明は、特に、請求項２に記載の空気供給口は、コンロバーナの周囲に配設した汁受け皿もしくはごとく枠を天板上面より高い位置に載置されるように汁受け皿もしくは取り付け金具を固定するビスを備えたことにより、汁受け皿の固定ができると同時に燃焼に必要な空気を汁受け皿もしくはごとく枠と天板の間からの供給する空隙を実現することができる。
【００１７】
請求項５に記載の発明は、特に、請求項１〜２に記載の空気供給口に関するもので、ゴトク枠の下に設けられた突起によってごとく枠と天板との間に構成される空隙と、前記ゴトク枠は汁受け皿の外周付近に設けられた開口部もしくは天板と汁受け皿で構成される空間部を被うように構成したことにより、着脱自在なごとく本体が、ごとく枠と天板の間から燃焼に必要な空気を供給する空隙を実現することができる。また、汁受け皿の一部に設けられた開口部をごとく枠が覆うため、調理中の煮こぼれ等を器具箱体内への流れ込み防止を実現することができる。
【００１８】
請求項６に記載の発明は、特に、請求項１〜２項に記載の空気供給口に関するもので、円筒立錐壁部材はコンロバーナの周囲に配設した汁受け皿を天板上面より高い位置に載置されるような高さに構成し、前記、円筒立錐壁部材は複数箇所空気が流入する開口部を備えたことにより、燃焼に必要な空気の供給を実現することができる。また、円筒立錐壁部材は器具箱体底部より天板上面の上まで位置するのでコンロバーナの中心とコンロバーナに対応する天板孔部中心との位置合わせも容易に実現することができる。また、円筒立錐壁状のため強度的にも強くごとくの上に重量物が載置されても曲がったりすることなく、丈夫な金具の実現ができる。
【００１９】
請求項７に記載の発明は、特に請求項１〜２に記載の空気供給口に関するもので、コンロバーナの周囲に配設した汁受け皿もしくはごとく枠の外周壁面部を天板の上面側に折り曲げ、前記、外周壁面部を複数箇所空気が流入する開口部を備えたことにより、燃焼に必要な空気の供給を実現することができる。また、汁受け皿もしくは、ごとく枠と天板の間に空隙を備えたものでは、全周に隙間が存在し、その隙間から小物の落ちる恐れも考えられるが、折り曲げた外周壁面部に複数箇所空気が流入する開口部を備えたことにより、小物の落下の恐れがなく、使い勝手の良い器具が実現できる。
【００２０】
請求項８に記載の発明は、請求項１〜７のいずれか１項に記載の嵌め込み式ガス調理器の空気供給口は、天板の上に載置されたコックつまみのシャフト周辺に空隙を備えたことにより、燃焼に必要な空気の供給を実現することができる。
【００２１】
請求項９に記載の発明は、請求項１〜８のいずれか１項に記載の嵌め込み式ガス調理器の空気供給口は、天板の一部または天板を載置する基盤の一部を平面状もしくは屋根状に１段もしくは複数段に開口した基盤開口部を備えたことにより、燃焼に必要な空気の供給を実現することができる。また、天板がガラス等の材質の場合、基盤がガラスを支えるので強度も強い天板の実現を図ることができる。
【００２２】
請求項１０に記載の発明は、請求項１〜９のいずれか１項に記載の嵌め込み式ガス調理器のコンロバーナヘッド外周付近まで近接した内径を有する汁受け皿、もしくは汁受け皿内周とコンロバーナヘッド外周との間の空隙を覆うバーナリングを備えたことにより、燃焼に必要な二次空気の供給がコンロバーナ中央部のみからの供給となるため、本考案の対向炎型燃焼には火炎面に有効な二次空気の供給を実現することができる。
【００２３】
請求項１１に記載の発明は、請求項１〜１０のいずれか１項に記載の嵌め込み式ガス調理器のコンロバーナヘッド外周付近まで近接した内径を有する汁受け皿の下側にある、前記コンロバーナヘッドのドーナツ状空洞部の一部を１箇所または複数箇所、上方側へくぼみを備えたことにより、燃焼に必要な二次空気の供給が、よりコンロバーナ中央部への流入がスムースとなり、本考案の対向炎型燃焼には火炎面に、より有効な二次空気の供給を実現することができる。
【００２４】
【実施例】
以下、本発明の実施例について図１〜１３を参照して説明する。
【００２５】
（実施例１）
図１は、本発明の実施例１における嵌め込み式ガス調理器の平面図、図２は、嵌め込み式ガス調理器を嵌めこむ部材（ガス置き台等）に嵌めこんだ状態を示す正面図、図３は、同コンロバーナと汁受け皿と天板の構成断面図である。
【００２６】
図４は、同コンロバーナと天板と汁受け皿が金具により保持されている構成断面図、図６は、同コンロバーナとゴトク枠がビスにより保持されている構成断面図である。図７は、同コンロバーナとゴトク枠がゴトク枠下に設けられた突起により保持されている構成断面図、図８は、同コンロバーナと開口部をもつ立錐壁部材枠が汁受け皿を保持している構成断面図、図９は、同コンロバーナと天板側に屈曲した外周壁に開口部をもつ汁受け皿との構成断面図である。図１０は、天板がコックつまみのシャフト周辺に空隙を備えた構成の要部断面図である。図１１は、コンロバーナとその周囲を覆う天板と一部に開口部を有する天板を載置する基盤の嵌め込み式ガス調理器の平面図である。図１１は、その側面図である。図１３は、本発明のコンロバーナヘッド外観を下から見た斜視図である。
【００２７】
図１において、天板１の上面にコックツマミ２と汁受け皿３、ごとく４、バーナキャップ５が載置されている。図２は、上記、天板１の上面にあるこれらの部材コックツマミ２と汁受け皿３、ごとく４、バーナキャップ５等の本体部を収納する器具箱体６が、ガス置き台７に嵌め込み設置されている。一般的にガス置き台７は前面に扉を有し、周囲はほぼ密閉された空間の箱状に製作されている。
【００２８】
従来の嵌め込み式ガス調理器は、燃焼に必要な空気のガス置き台空気供給口８を空間周囲の壁面の一部に孔あけを行う必要があった。
【００２９】
図３は、本発明の一実施例を示す。天板１の下部には、燃焼用炎孔を有したバーナキャップ５を上に載置するガスと空気を混合するバーナヘッド９とガスを噴出するノズル１０、図１０に示すガスコック本体１１が器具箱体６内に収納されている。器具箱体６は図１３に示す従来の嵌め込み式ガス調理器の器具箱体６の底面部６ａおよび側面部６ｂに燃焼に必要な空気を供給する空気孔１５を設けていない。
【００３０】
次に動作、作用について説明するとガスコック本体１１を開くと、ノズル１０から噴出されたガスは、器具箱体６内にある空気を一次空気１３として共にバーナヘッド９の内部へと入り、バーナキャップ５からガスと空気の混合気として噴出され点火源により点火された後、燃焼が継続する。燃焼には燃料と空気が必要であり、燃焼に必要な空気は器具箱体６に外部からとり入れる空気孔１５がないため、汁受け皿３と天板１の空隙から新鮮空気１２が器具箱体６内へと流入する。
【００３１】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。　このような状態が継続して安定した良好な燃焼を確保する。
【００３２】
図４は、天板１と汁受け皿３に器具箱体６内に新鮮空気１２を流入させる空隙を形成する目的と天板１の開口孔の中心とバーナヘッド９の中心が同軸に位置させるための保持金具１６にて構成されている構成断面図である。保持金具１６の単品図は図４ー２に示す。
【００３３】
次に動作、作用について説明するとガスコック本体１１を開き、点火された後バーナキャップ５にて燃焼が開始、継続されると燃焼に必要な空気は器具箱体６に外部からとり入れる空気孔１５がないため、汁受け皿３と保持金具１６によって形成された天板１の空隙から新鮮空気１２が器具箱体６内へと流入する。
【００３４】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。このような状態が継続して安定した良好な燃焼を確保する。
【００３５】
また、保持金具１６の一部を天板１の開口孔に近接設置するように設けてバーナヘッド９と天板１の開口孔中心との同軸位置を確保している。このことにより、バーナに対する天板の位置が確実に設置できるものである。
【００３６】
図６は、器具箱体６内に新鮮空気１２を流入させるため天板１とゴトク枠１７の間に空隙を形成するように保持金具１６に汁受け皿３を介して固定ビス１８で固定するように構成されている。
【００３７】
次に動作、作用について説明するとガスコック本体１１を開き、点火された後バーナキャップ５にて燃焼が開始、継続されると燃焼に必要な空気は器具箱体６に外部からとり入れる空気孔１５がないため、ゴトク枠１７と固定ビス１８によって形成された天板１とゴトク枠１７の空隙から新鮮空気１２が器具箱体６内へと流入する。
【００３８】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。　このような状態が継続して安定した良好な燃焼を確保する。
【００３９】
図７は、ゴトク枠１７の下に設けられた突起１９によってごとく枠１７と天板１との間に空隙が構成され、汁受け皿３の外周付近に設けられた汁受け皿開口部２０を通過して器具箱体６内に新鮮空気１２を流入させる。前記ゴトク枠１７は汁受け皿３の外周付近に設けられた汁受け皿開口部２０を被うように構成されている。
【００４０】
次に動作、作用について説明するとガスコック本体１１を開き、点火された後バーナキャップ５にて燃焼が開始、継続されると燃焼に必要な空気は器具箱体６に外部からとり入れる空気孔１５がないため、ゴトク枠１７下に設けられた突起１９よって形成された天板１とゴトク枠１７の空隙から新鮮空気１２が器具箱体６内へと流入する。
【００４１】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。このような状態が継続して安定した良好な燃焼を確保する。
【００４２】
また、ゴトク枠１７は汁受け皿３の外周付近に設けられた汁受け皿開口部２０を被うように構成されているので、調理中のふきこぼれた煮汁等が器具箱体６に進入することもなく清潔に使用できる。
【００４３】
図８は、天板１と汁受け皿３の間にて器具箱体６内に新鮮空気１２を流入させる空隙を形成する目的のため、円筒立錐壁部材２１はコンロバーナの周囲に配設した汁受け皿３を天板１上面より高い位置に載置されるような高さにて汁受け皿を保持するように設定し、且つ、前記円筒立錐壁部材２１には複数箇所空気が流入する立錐壁開口部２２を備えて構成されている。
【００４４】
次に動作、作用について説明するとガスコック本体１１を開き、点火された後バーナキャップ５にて燃焼が開始、継続されると燃焼に必要な空気は器具箱体６に外部からとり入れる空気孔１５がないため、天板１と円筒立錐壁部材２１によって形成されるゴトク枠１７の空隙から新鮮空気１２が円筒立錐壁部材２１の複数箇所空気が流入する立錐壁開口部２２より器具箱体６内へと流入する。
【００４５】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。このような状態が継続して安定した良好な燃焼を確保する。
【００４６】
また、円筒立錐壁部材２１は器具箱体６の底部より天板上面の上まで位置するのでコンロバーナの中心とコンロバーナに対応する天板孔部中心との位置合わせも容易に実現することができる。
【００４７】
図９は、コンロバーナの周囲に配設した汁受け皿３の外周壁面部２３を天板１の上面側に折り曲げ、前記、外周壁面部２３を複数箇所空気が流入する汁受け皿開口部２４を備えて構成されている。
【００４８】
次に動作、作用について説明するとガスコック本体１１を開き、点火された後バーナキャップ５にて燃焼が開始、継続されると燃焼に必要な空気は器具箱体６に外部からとり入れる空気孔１５がないため、汁受け皿開口部２４から、新鮮空気１２が器具箱体６内へと流入する。
【００４９】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。　このような状態が継続して安定した良好な燃焼を確保する。
【００５０】
図１０は、天板１の上に載置されたコックつまみのシャフト２５の周辺に天板１にシャフト開口孔２６をあけて構成されている。
【００５１】
次に動作、作用について説明するとガスコック本体１１を開き、点火された後バーナキャップ５にて燃焼が開始、継続されると燃焼に必要な空気は器具箱体６に外部からとり入れる空気孔１５がないため、コックつまみのシャフト開口孔２６から、新鮮空気１２が器具箱体６内へと流入する。
【００５２】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。　このような状態が継続して安定した良好な燃焼を確保する。
【００５３】
図１１、図１２は、天板１を載置する基盤２７の天板１と重なり合っていない一部を、平面状に開口した基盤開口部２８を備えて構成されている。
【００５４】
次に動作、作用について説明するとガスコック本体１１を開き、点火された後バーナキャップ５にて燃焼が開始、継続されると燃焼に必要な空気は器具箱体６に外部からとり入れる空気孔１５がないため、平面状に開口した基盤開口部２８から、新鮮空気１２が器具箱体６内へと流入する。
【００５５】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４として分流される。このような状態が継続して安定した良好な燃焼を確保する。
【００５６】
（実施例２）
図１３は、本発明の実施例２における燃焼に必要な二次空気の流れを示す図をも兼用している。図１２は燃焼火炎部により二次空気が供給しやすくなるバーナヘッドの斜視図である。
【００５７】
図１３において、天板１の下部には、燃焼用炎孔を有したバーナキャップ５を上に載置するガスと空気を混合するバーナヘッド９とガスを噴出するノズル１０、図１０に示すガスコック本体１１が器具箱体６内に収納されている。器具箱体６は図１４に示す従来の嵌め込み式ガス調理器の器具箱体６の底面部６ａおよび側面部６ｂに燃焼に必要な空気を供給する空気孔１５を設けていない。
【００５８】
また、汁受け皿３はバーナヘッド９外径とほぼ同等の内径を有し、バーナヘッド９外径と汁受け皿３の内径との間には空隙がほとんど存在しないように構成し、バーナヘッド９の一部にビス等で固定して天板１との間に空隙を構成している。
【００５９】
上記、バーナヘッド９の外周付近まで近接した内径を有する汁受け皿３の下側にある、前記、バーナヘッド９のドーナツ状空洞部の一部を１箇所または複数箇所、上方側へくぼみ部９ａを形成している。
【００６０】
次に動作、作用について説明するとガスコック本体１１を開くと、ノズル１０から噴出されたガスは、器具箱体６内にある空気を一次空気１３として共にバーナヘッド９の内部へと入り、バーナキャップ５からガスと空気の混合気として噴出され点火源により点火された後、燃焼が継続する。燃焼には燃料と空気が必要であり、燃焼に必要な空気は器具箱体６に外部からとり入れる空気孔１５がなく、さらにその上、バーナヘッド９外径と汁受け皿３の内径との間には空隙がほとんど存在しないように構成しているので汁受け皿３と天板１の空隙からのみ、新鮮空気１２が器具箱体６内へと流入する。
【００６１】
流入した新鮮空気１２はノズル１０から噴出されるガスと共に一次空気１３としてバーナヘッド９に入るものと、バーナキャップ５の燃焼により発生する上昇気流によりバーナキャップ５の中央孔から燃焼用二次空気１４としてキャップ燃焼面に供給分流される。二次空気の供給が中央のみであるため燃焼排ガスを含めた気流の流れは中央からキャップ外周外側への一方通行と整流されスムースな　流れを創出する。このような状態が継続して安定した良好な燃焼を確保する。
【００６２】
【発明の効果】
以上のように、本発明によれば、燃焼に必要な空気を天板の一部に空気供給口として設けているので、器具箱体の底面、側面に空気孔を設ける必要がなく、さらにガス置き台、流し台等の庫内側に完全燃焼を行うための必要な空気を庫内の外側から取り入れる空気孔をあける必要もないので、空気孔をあける工事が不要でありながら、良好な燃焼状態が継続できる。
【００６３】
併せて、器具箱体の底面部に空気孔がないので、コンロバーナで調理中の煮汁等がふきこぼれて器具内に落下しても器具外にこぼれることなく、ガス置き台内の掃除もなくなり、使い勝手の良い嵌め込み式ガス調理器が実現できる。
【００６４】
さらにその上、バーナヘッド外径と汁受け皿の内径との間には空隙がほとんど存在しないように構成しているので汁受け皿と天板の空隙からのみ、新鮮空気が器具箱体内へと流入し、新鮮空気はノズルから噴出されるガスと共に一次空気としてバーナヘッドに入るものと、バーナキャップの燃焼により発生する上昇気流によりバーナキャップの中央孔から燃焼用二次空気としてキャップ燃焼面に供給分流される。二次空気の供給が中央のみであるため燃焼排ガスを含めた気流の流れは中央からキャップ外周外側への一方通行と整流されスムースな流れを創出して、安定した良好な燃焼の継続を実現できる。
【図面の簡単な説明】
【図１】本発明の実施例１における嵌め込み式ガス調理器の平面図
【図２】同調理器をガス置き台に嵌めこんだ状態を示す正面図
【図３】同調理器におけるコンロバーナと汁受け皿と天板の構成断面図
【図４】同調理器におけるコンロバーナと天板と汁受け皿が金具により保持されている構成断面図
【図５】同調理器における保持金具を示す三面図
【図６】同調理器におけるコンロバーナとゴトク枠がビスにより保持されている構成断面図
【図７】同調理器おけるコンロバーナとゴトク枠がゴトク枠下に設けられた突起により保持されている構成断面図
【図８】同調理器におけるコンロバーナと開口部をもつ立錐壁部材枠が汁受け皿を保持している構成断面図
【図９】同調理器におけるコンロバーナと天板側に屈曲した外周壁に開口部をもつ汁受け皿との構成断面図
【図１０】同調理器における天板がコックつまみのシャフト周辺に空隙を備えた構成の要部断面図
【図１１】同調理器における天板を載置する基盤の嵌め込み式ガス調理器の平面図
【図１２】同調理器における上記側面図
【図１３】同調理器におけるコンロバーナヘッド外観を下から見た斜視図
【図１４】従来の嵌め込み式ガス調理器の器具箱体の平面図及び側面図
【符号の説明】
１　天板
３　汁受け皿
５　　バーナキャップ
６　器具箱体
７　ガス置き台
９　バーナヘッド
１０　ノズル
１１　ガスコック本体
１２　新鮮空気
１３　一次空気
１４　二次空気
１６　保持金具
１７　ゴトク枠
２１　円筒立錐壁部材
２２　立錐壁開口部
２４　汁受け皿開口部
２７　基盤
２８　基盤開口部
【図１】
2004044864.tif 000003
【図２】
2004044864.tif 000004
【図３】
2004044864.tif 000005
【図４】
2004044864.tif 000006
【図５】
2004044864.tif 000007
【図６】
2004044864.tif 000008
【図７】
2004044864.tif 000009
【図８】
2004044864.tif 000010
【図９】
2004044864.tif 000011
【図１０】
2004044864.tif 000012
【図１１】
2004044864.tif 000013
【図１２】
2004044864.tif 000014
【図１３】
2004044864.tif 000015
【図１４】
2004044864.tif 000016